【事件の表示】
　特許第３２７２９７８号「浴剤組成物」の請求項１に係る特許に対する特許異議の申立てについて、次のとおり決定する。
【結　論】
　訂正を認める。
　特許第３２７２９７８号の請求項１に係る特許を維持する。
【理　由】
１．手続の経緯
　
　本件特許第3272978号の請求項1〜4に係る発明は、平成9年6月17日に特許出願され、平成14年1月25日にその特許権の設定登録がされ、その後、林　純 により特許異議の申立てがされ、当審により取消理由通知がされ、その指定期間内である平成15年2月18日に訂正請求がされたものである。
　
２．訂正の適否についての判断
　
(1)訂正の内容
　訂正請求されている事項は、特許第3272978号明細書（以下特許明細書という）の特許請求の範囲の
「【請求項１】ラクトース、米胚芽油又は米糠油、カチオン性ポリマー、イソステアリルアルコールからなる群より選ばれる少なくとも二種以上を含有することを特徴とする浴剤組成物。」を
「【請求項１】ラクトース、米胚芽油又は米糠油、イソステアリルアルコールからなる群より選ばれる少なくとも二種以上を含有することを特徴とする浴剤組成物。」
と訂正するものである。
　
(2)訂正の目的の適否、拡張・変更の存否、及び新規事項の追加の有無
　
　上記訂正事項は、請求項１において選択肢として挙げられていたカチオン性ポリマーを削除するものであるから、特許請求の範囲の減縮を目的とするものである。
　そして、上記訂正は特許明細書に記載された範囲内のものであり、かつ実質上特許請求の範囲を拡張し、又は変更するものではない。
　したがって、上記訂正は特許法第120条の4第2項及び同条第3項において準用する特許法第126条第2項〜第4項の規定に適合するので、当該訂正を認める。
　
３．特許異議の申立てについての判断
　
(1)特許異議申立ての理由の概要
　特許異議申立人 林　純 は、甲第1号証〜第4号証を提出し、本件請求項１に係る発明は、本件出願前に頒布された刊行物に記載された発明に基づいて当業者が容易に発明をすることができたものであって、本件請求項1に係る発明の特許は特許法第29条第2項の規定に違反してされたものであるから、取り消されるべきものである旨主張している。
　
(2)本件特許
　本件請求項１に係る発明は、上記のとおり訂正が認められるから、その特許請求の範囲の請求項１に記載されている事項より特定されるとおりのものであって、「ラクトース、米胚芽油又は米糠油、イソステアリルアルコールからなる群より選ばれる少なくとも二種以上を含有することを特徴とする浴剤組成物。」と認められる。（以下、本件訂正発明という。）
　
(3)刊行物の記載事項
　特許異議申立人が提出した甲第１号証〜第4号証の刊行物には、以下の事項が記載されている。
　1)特開平2-115115号公報（甲第１号証、以下、刊行物1という。）
　ア)「油性成分、非イオン性界面活性剤及びカチオンポリマーを含有する、入浴剤組成物。」（特許請求の範囲）
　イ)油性成分として「ヌカ油」が含まれること（2頁右上欄12行）
　ウ)カチオン化セルロースと油性成分とを配合するとすべすべ感が向上すること（実施例１）
　
　2)「診療と新薬」第27巻第10号、1990年10月、第168〜177頁（甲第2号証、以下、刊行物2という。）
　ア)「ロモコート浴剤」には、米ぬか油、トウキエキス、カモミラエキス、センキュウエキス、チンピエキスが含まれること（195頁表１）
　イ) 米ヌカ油は、オレイン酸、リノール酸などの油性成分のほか、皮脂分泌促進作用や血行促進作用などを有するγ-オリザノールを含有すること（195頁左欄下2行）
　
　3)「化粧品原料辞典」（平成3年11月29日、日光ケミカルズ株式会社外 発行）171〜172頁　（甲第3号証、以下、刊行物3という。）
　コメ胚芽油は、イネの種子から得られる米ヌカを原料として得た油脂であり、日焼け・日焼け止めクリーム、ヘアトニック、化粧水、乳液などの基礎化粧品およびメイクアップ用化粧品に使用できること（171頁下6行、コメ胚芽油の項）
　
　4)「フレグランス ジャーナル」臨時増刊No.6、昭和61年5月1日発行、表紙3対向　（甲第４号証、以下、刊行物4という。）
　浴用配合剤として、脱脂玄米糠（50％オリザノール含有）や玄米油（米胚芽油：オリザノール1.2〜1.5％含有）を一丸ファルコス株式会社が取り扱っていること（一丸ファルコス株式会社の広告）
　
４．対比判断
　刊行物1に記載された発明は、油性成分、非イオン性界面活性剤及びカチオンポリマーを含有する、入浴剤組成物であり、油性成分として米糠油を使用しうるものであって、刊行物1には、米胚芽油又は米糠油とラクトース又はイソステアリルアルコールを含む浴用剤については記載されていない。
　また、刊行物2、4を見ても、米胚芽油又は米糠油が浴用剤に配合される成分であることは記載されているが、米胚芽油又は米糠油とラクトース又はイソステアリルアルコールと併用することについては何ら記載されていない。
　そして、刊行物1〜4のいずれにも、ラクトース又はイソステアリルアルコールが浴用剤に配合されるものであることは記載されていない。
　したがって、本件訂正発明が刊行物1〜4に記載された発明に基づいて、当業者が容易に発明をすることができたものとすることはできない。
　
５．むすび
　以上のとおりであるから、本件特許異議申立の理由及び証拠によっては、本件請求項1に係る発明の特許を取り消すことができない。
　また、他に本件請求項１に係る発明の特許を取り消すべき理由を発見しない。
　よって、結論のとおり決定する。
【異議決定日】
平成１５年６月１６日（２００３．６．１６）
【訂正の要旨】
　特許第３２７２９７８号発明の明細書中、
▲１▼特許請求の範囲の請求項１において「ラクトース、米胚芽油又は米糠油、カチオン性ポリマー、イソステアリルアルコールからなる群より選ばれる少なくとも二種以上」とあるのを、特許請求の範囲の減縮を目的として「ラクトース、米胚芽油又は米糠油
、イ
（５４）【発明の名称】
浴剤組成物
（５７）【特許請求の範囲】
　【請求項１】　ラクトース、米胚芽油又は米糠油
、イ
　【請求項２】　イソステアリルアルコールとカチオン性ポリマーとを含有することを特徴とする浴剤組成物。
　【請求項３】　イソステアリルアルコールと米胚芽油及び／又は米糠油とを含有することを特徴とする浴剤組成物。
　【請求項４】　イソステアリルアルコールとラクトースとを含有することを特徴とする浴剤組成物。
【発明の詳細な説明】
　【０００１】
　【発明の属する技術分野】
　本発明は、入浴後のべたつき感がなく、入浴時の肌のなめらかさ、及び入浴後の肌のしっとり効果に優れた、浴剤組成物に関する。
　【０００２】
　【従来の技術】
　浴剤組成物は一般に、硫酸ナトリウム、炭酸水素ナトリウム等の無機塩混合物に、香料、色素、保湿剤等を配合したもので、浴湯に香りや色調を与えたり、無機塩の作用による血行促進効果や保温効果によって疲労を回復しリラックス感を与えるものである。
　【０００３】
　一方、最近では、消費者ニーズの多様化から、美肌効果のある入浴剤が望まれてきている。
　【０００４】
　【発明が解決しようとする課題】
　このような要望に応えるべく、各種の浴剤組成物が数多く提案されているが、消費者の満足感を得られるものは少なく、それぞれに何らかの問題点を有しているというのが実情である。例えば、油成分を利用したものがあるが、効果を得るには油の配合量を多くせねばならず、それによって浴後、肌がべたついたり、浴槽が油で汚れる等の問題を生じる場合が多い。また、脱脂粉乳等の牛乳成分を配合したものも提案されているが、製品の経日変化で牛乳成分が凝集し湯面に浮遊したり、不快臭が発生する等の問題があった。
　【０００５】
　本発明は、このような実情のもとでなされたものであって、入浴後のべたつき感がなく、入浴時の肌のなめらかさ、及び入浴後の肌のしっとり効果に優れた浴剤組成物を提供することを目的とする。
　【０００６】
　【課題を解決するための手段】
　本発明者は、種々の化合物の組合せについて鋭意検討した結果、驚くべきことに、ラクトース、米胚芽油又は米糠油、カチオン性ポリマー、イソステアリルアルコールからなる群より二種以上を併用することが本発明の上記目的を達成できることを見出した。
　すなわち、本発明は、ラクトース、米胚芽油又は米糠油、カチオン性ポリマー、イソステアリルアルコールからなる群より選ばれる少なくとも二種以上を含有することを特徴とする浴剤組成物にある。
　【０００７】
　【発明の実施の形態】
　以下、本発明を詳細に説明する。
　本発明に用いられるカチオン性ポリマーとしては、水溶性であることが好ましく、例えばグリシジルトリメチルアンモニウムハライドとヒドロキシエチルセルロースからなる、第４級窒素含有セルロースエーテル（例えば、ユニオンカーバイド社製ポリマーＪＲ−４００）、ジアリルジメチルアンモニウムハライド／ヒドロキシエチルセルロースグラフト共重合体（例えば、ＮＳＣ社製セルコートＬ２００）、ヒドロキシプロピルグァーガム第４級アンモニウム誘導体（例えば、ＭＥＹＨＡＬＬ社製ＪａｇｕａｒＣ１３Ｓ）、ポリ（ジメチルジアリルアンモニウムハライド）型カチオンポリマー（例えば、メルク社製マーコートＨ）、ジメチルジアリルアンモニウムハライドとアクリルアミド共重合体型カチオンポリマー（例えば、メルク社製マーコート５５０）、ポリグリコールポリアミン縮合物（例えば、ヘンケル社製ポリコートＨ）、ビニルピロリドン・ジメチルアミノエチルメタアクリレート共重合体カチオン化物（例えば、ＧＡＦ社製ガフコート７５５Ｎ、ガフコート７３４）等が挙げられる。
　【０００８】
　上記カチオン性ポリマーは１種又は２種以上を配合することができるが、配合量としては本発明の浴剤組成物総量に対して、好ましくは０．２〜５．０重量％（以下、ｗｔ％と略する）、更に好ましくは０．５〜３．０ｗｔ％配合される。配合量が０．２ｗｔ％未満では、入浴時の肌のなめらかさに良好な効果が得られない場合があり、５．０ｗｔ％を超えると入浴時の肌にぬるつきが生じ、入浴後の肌のしっとり効果が得られず、好ましくない場合がある。
　【０００９】
　本発明に用いられるイソステアリルアルコールの配合量は、当該浴剤組成物の総量に対して好ましくは０．１〜５．０ｗｔ％、更に好ましくは０．３〜３．０ｗｔ％配合される。配合量が０．１％未満では、入浴時の肌のなめらかさ、及び入浴後の肌のしっとり効果に良好な効果が得られない場合があり、５．０ｗｔ％を超えると入浴後の肌がべたつき、好ましくない傾向がある。
　【００１０】
　本発明に用いられる米胚芽油は、イネ［Ｏｒｙｚａ　ｓａｔｉｖａ　Ｌ．（Ｇｒａｍｉｎｅａｅ）］の胚芽より得た脂肪油である。オリザノールやビタミンＡ，Ｅを含み、ボーソー玄米胚芽油やボーソーライスジャームオイルＯＺ（丸善製薬社）、オリザオイルＳ−１（一丸ファルコス社）等の名称にて市販されている。米糠油の配合量は当該浴剤組成物の総量に対して好ましくは０．０５〜１０．００ｗｔ％、更に好ましくは０．１〜７．０ｗｔ％配合される。配合量が０．０５％未満では、入浴時の肌のなめらかさ、及び入浴後の肌のしっとり効果に良好な効果が得られない場合があり、１０．００ｗｔ％を超えると入浴後の肌がべたつき好ましくない傾向がある。
　【００１１】
　本発明に用いられる米糠油は、米油とも呼ばれ、米（Ｏｒｙｚａ　ｓａｔｉｖａ　Ｌ．）の種子の精米直後の米糠から得られる半乾性油である。トコフェロールやオリザノール、ステロール等を含み、オリザオイルＳ−１（一丸ファルコス社）やライスオイル（野田ワックス社）等の名称にて市販されている。米糠油の配合量は当該浴剤組成物の総量に対して好ましくは０．０５〜１０．００ｗｔ％、更に好ましくは０．１〜７．０ｗｔ％配合される。配合量が０．０５％未満では、入浴時の肌のなめらかさ、及び入浴後の肌のしっとり効果に良好な効果が得られない場合があり、１０．００ｗｔ％を超えると入浴後の肌がべたつき好ましくない傾向がある。
　【００１２】
　本発明に用いられるラクトースは、α体、β体のいずれの化合物をも使用できる。ラクトースの配合量としては、本発明に係る浴剤組成物総量に対して、好ましくは０．５〜３０．０ｗｔ％、更に好ましくは１．０〜２０．０ｗｔ％配合される。配合量が０．５ｗｔ％未満では、入浴時の肌のなめらかさ、入浴後の肌のしっとり効果に良好な効果が得られない場合があり、３０．０ｗｔ％を超えると入浴時の肌にぬるつきが生じ、入浴後の肌のしっとり効果が得られず、好ましくない場合がある。
　【００１３】
　本発明に係る浴剤組成物は、上述した成分以外に、下記の他の成分等を本発明の目的を達成する範囲で適宜配合することができる。
　【００１４】
　１）無機塩類
炭酸ナトリウム、セスキ炭酸ナトリウム、炭酸水素ナトリウム、塩化ナトリウム、硫酸ナトリウム、チオ硫酸ナトリウム、硫酸アンモニウム、炭酸マグネシウム、ホウ砂、硝酸カルシウム、硝酸カリウム、硝酸ナトリウム、硫酸アルミニウム、ポリリン酸ナトリウム、塩化アンモニウム、硫酸鉄、リン酸ナトリウム、硫酸マグネシウム、酸化カルシウム、炭酸マグネシウム、硫化ナトリウム、硫化カリウム等。
　【００１５】
　２）無機酸類
無水ケイ酸、メタケイ酸、ホウ酸等。
　【００１６】
　３）有機酸類
安息香酸、クエン酸、フマル酸、酒石酸、リンゴ酸、サリチル酸等及びこれらの塩。
　【００１７】
　４）油脂類
オリーブ油、大豆油、アーモンド油、ひまし油、やし油、パーム油、タートル油、ミンク油、ホホバ油、卵黄油、スクワラン、ラノリン、流動パラフィン、白色ワセリン等。
　【００１８】
　５）多価アルコール
グリセリン、プロピレングリコール、ソルビトール、ポリエチレングリコール、１，３−ブチレングリコール、イソプレングリコール等。
　【００１９】
　６）生薬、ハーブ類
チンピ、トウキ、ニンジン、シャクヤク、ショウブ、シソ、ヨモギ、カミツレ、ハッカ、オオバク、モモ、アロエ、ヘチマ、イチョウ、アシタバ、オウゴン、マロニエ、レイシ、アルニカ等。
　【００２０】
　７）香料類
ラベンダー油、ジャスミン油、ローズ油、レモン油、オレンジ油、ハッカ油、タイム油、ショウブ油、ヒバ油、ヒノキ油、バラ油、ユーカリ油、カンファー、ペパーミント油、スペアミント油、ゲラニオール、シトロネロール等の天然及び合成香料等。
　【００２１】
　さらに、本発明に係る浴剤組成物は、上記の成分以外にも、酸化チタン、タルク、界面活性剤、殺菌剤、ビタミン類、厚生省令に定められたタール色素別表Ｉ及びＩＩの色素、クロロフィル、リボフラビン、紅花、アントラキノン等の食品添加物として認められている天然色素等を適宜配合できる。
　【００２２】
　本発明に係る浴剤組成物は常法により、散剤、顆粒剤、錠剤、液状等の剤型とすることができる。
　【００２３】
　【実施例】
　以下、実施例を挙げ本発明を説明するが、本発明はこれら実施例に限定されるものではない。尚、本実施例中で用いた評価方法は下記の通りである。
　【００２４】
　（評価方法）
　被験者１０名に実施例または比較例を配合したお湯に入浴させ、入浴中の感触、入浴後の肌の状態について感触で評価した。
　【００２５】
実施例１〜１６、比較例１〜４
　表１、２に示す各成分をリボンミキサーにて３０分間混合攪拌し、浴剤組成物を調製した。ついで４１℃のお湯１８０ｌに各浴剤組成物３０ｇを溶解し、被験者１０名を１０分間入浴させた後、評価した。
　【００２６】
　【表１】
　【００２７】
　【表２】
　【００２８】
入浴後のアンケート結果を表３に示す。
　尚、表中の記号の意味は下記の通りである。
　　Ａ）入浴時の肌のなめらかさがあると答えた人数
　　Ｂ）入浴後の肌のしっとり効果があると答えた人数
　　Ｃ）べたつき感を訴えた人数
　【００２９】
　【表３】
　【００３０】
　表３に記載の通り、実施例は全ての項目にわたって、比較例と比して優れていた。
　【００３１】
　【発明の効果】
　本発明の浴剤組成物は、入浴後のべたつき感がなく、入浴時の肌のなめらかさ、及び入浴後の肌のしっとり効果に優れた、有用なる浴剤組成物を提供することは明らかである。